(57)【要約】【課題】    携帯電話を使用して利用者が利用目的とする情報を簡単に入力する事ができると共に、大幅な投資を必要とせず、何時でも何処からでも取得した情報をデータベースに格納できるようにする。【解決手段】    利用目的とする情報を示している２次元バーコードを予め印刷しておき、利用者は２次元バーコード識別機能を備えたアプリケーション実行機能付き携帯電話機により２次元バーコードを撮影すると、指定されたメールアドレスに２次元バーコードの内容を記したメールを自動送信する。メール受信側では受け取ったメールをメール解析アプリケーションで解析し、データベースに格納・更新する。【選択図】    図１
2005071290.tif 000002
【特許請求の範囲】
【請求項１】
２次元バーコード認識機能付き且つアプリケーションプログラム実行機能付き携帯電話機器を入力端末として用い、読み込んだ２次元バーコード情報を電子メールで転送、受信側で受け取ったメールを分析、集計しデータベースに反映する事を特徴とするデータ集計管理方法。
【請求項２】
商品名等のマスタ情報及び個数等のトランザクション情報を盛り込んだ２次元バーコードを用い、その情報を携帯電話にてメールで転送する事を特徴とするデータ集計管理方法。
【請求項３】
上記請求項２で転送されたメールを、自社若しくは他社のメールサーバーから任意若しくは定期的に取得し、メールの内容を分析、集計する事を特徴とするデータ集計管理方法。
【発明の詳細な説明】
【技術分野】
【０００１】
この発明は商品入出庫数等の管理集計対象となるデータを、場所やインフラ状況に制約されず効率的に入手でき、簡単運用でしかも安価導入を目的とした、２次元バーコード認識機能付き且つアプリケーションプログラム実行機能付き携帯電話機器と電子メールを使用した入出庫管理システム及びデータ集計システムに関する。
【背景技術】
【０００２】
物流システム等における入出庫管理で、即座に効率的なデータを管理する場合、商品に貼り付けられているバーコードをパソコンやＰＯＳレジスタ等に取り付けられた専用のリーダーで読み込み、その商品情報をサーバーへ送信、サーバーで送られてきた商品情報をもとにデータベースを更新している。また、バーコードリーダーが取り付けてあるパソコン等とサーバーは通常ネットワークで繋がっており、有線・無線問わずネットワークの設計及び高度な知識が必要である。（例えば特許文献１参照。）
【０００３】
【特許文献１】特開２００３−１６２６５７
【発明の開示】
【発明が解決しようとする課題】
【０００４】
通常バーコードに表記されている情報はサーバーで管理しているコードを表しており、サーバー側においてコードに意味を持たせたマスタ管理を必要としている。その為情報の追加・更新の都度、マスタとなるデータベースを更新しなければならない。また、このバーコードを読み込むための専用リーダー及びその機器を接続するパソコン等及び、マスタ管理アプリケーションソフトが必要となり費用負担が大きい。一方、操作性に於いては一意性のコードしか送信できないため、まとまった数のデータを送信する場合、一つ一つ送信するか数を入力する必要があり煩わしさを伴う。また、複数の場所で投入されたデータを管理するいわゆるクライアント・サーバーシステムの場合、システム構築費・運営費等のさらなる費用負担の増加や、システム管理者及びネットワーク管理者等の高度な知識を有した人材が必要となる。
【課題を解決するための手段】
【０００５】
商品名等のマスタ情報及び個数等のトランザクション情報を示す２次元コードを予め印刷しておき、２次元バーコード認識機能付き且つアプリケーションプログラム実行機能付き携帯電話機器にて撮影する感覚でデータを読み取る。読み取り終了後、携帯電話機に内蔵されたアプリケーションが２次元バーコードの内容を指定アドレスに電子メールで送信する。データ受信側では任意若しくは定期的にメールサーバーより取得し、受け取った電子メールを解析しデータベースへ反映する。
【発明の効果】
【０００６】
商品名等のマスタ情報及び個数等のトランザクション情報を示す２次元コードを用いる事により、コード化したマスタ管理が不要となる。また、２次元バーコード認識機能付き且つアプリケーションプログラム実行機能付き携帯電話機器による、コードの読み取り・電子メールの自動送信を行うことで、専用リーダー及びパソコン等の機器が不要となり費用負担が軽減する。さらに、場所に捉われない手軽な入力が可能となる。
【０００７】
一方、データ受信側においては、電子メールでデータを受信する為、クライアント・サーバーシステムを構築する必要がなく、システム構築費及び運営費等の費用負担が軽減、高度な知識を有した人材も不要となる。また、インターネットプロバイダのメールサーバーを使用することにより、ドメイン取得やメールサーバー設置等の大規模な投資・準備が不要となる。
【発明を実施するための最良の形態】
【０００８】
本発明の実施の形態を図面に基づいて説明する。図１は実施の形態の概要を示している。図１における１は商品名等のマスタ情報及び個数等のトランザクション情報を示す２次元コードで、予め紙に印刷しておきます。２は２次元バーコード認識機能付き且つアプリケーションプログラム実行機能付き携帯電話機器で、２次元バーコードリーダー及び電子メール送信アプリケーションプログラムをダウンロードし、そのプログラムを実行する事で、２次元バーコードの読み込み後、指定メールアドレスへの電子メール自動送信機能を有する。３は各携帯電話ベンダーのネットワーク網であり、２の２次元バーコード認識機能付き且つアプリケーションプログラム実行機能付き携帯電話機器から発信された電子メールをインターネット４に接続する機能をもつ。５はメールサーバーでありインターネット経由の電子メールを受信する。６はパソコン若しくはサーバーで、２の２次元バーコード認識機能付き且つアプリケーションプログラム実行機能付き携帯電話機器から発信された電子メールを５のメールサーバーから取得し、メール解析アプリケーションプログラムにてマスタ情報及びトランザクション情報を分析、データベースに格納する。
【実施例】
【０００９】
本発明の実施例として、入出庫管理システムを具体例とし図面に沿って説明する。商品情報（商品名・形態等のキーになる情報）及びトランザクション情報（数量・入出庫情報等）を示す２次元コード（ＱＲコード、図１における１）を商品別・入出庫別・数量別に印刷する。入出庫時、該当するＱＲコードを、ＱＲコード認識機能を持つｉアプリ対応の携帯電話機器（図１における２）でｉアプリを起動し読み込ませる。ｉアプリにて読み取り後、携帯電話の電話帳の決められた格納番号に登録されている電子メールアドレスに読み取り結果を自動送信する。送信された電子メールは、ＤｏＣｏＭｏパケット網及びｉモードセンターを経由し、インターネットに接続されているメールサーバーへ送られる。（図１の３，４，５）受信側では、メール解析アプリケーションを起動し、インターネットに接続されているメールサーバーより、指定した送信元アドレスのみの電子メールを受信する。受信後、商品情報及びトランザクション情報にデータを分析、商品情報をキーとしてトランザクション情報の内容でデータベースを更新する。
【図面の簡単な説明】
【００１０】
【図１】本発明の２次元バーコード認識機能付き且つアプリケーションプログラム実行機能付き携帯電話機器と、電子メールを使用したデータ集計システムの概要図である。
【符号の説明】
【００１１】
１  ２次元バーコード
２  ２次元バーコード認識機能付き且つアプリケーションプログラム実行機能付き携帯電話機器
３  各携帯電話ベンダーのネットワーク網
４  インターネット
５  メールサーバー
６  パソコン若しくはサーバー
【図１】
2005071290.tif 000003